(57)【要約】【課題】被救助者の引き上げ姿勢を略垂直な状態に置いて、狭くかつ深いマンホールより迅速に被救助を引き上げ救出できる救助具を提供すること。【解決手段】救助具１は、布地により形成され身体を包み込めるサイズを有する身体包囲シート手段２と、身体包囲シート手段により包囲した身体を固定する身体固定ベルト手段３と、身体包囲シート手段に固着され、大腿部を包囲して固定する一対の大腿部固定手段６と、身体包囲シート手段に両端部が固定され、身体包囲シート手段により包まれた身体の釣支を可能とする釣支ベルト手段８を含んで構成されている。【選択図】図１
2019118773.tif 000002
【特許請求の範囲】
【請求項１】
布地により形成され身体を包み込めるサイズを有する身体包囲シート手段と、
該身体包囲シート手段により包囲した身体を固定する身体固定ベルト手段と、
前記身体包囲シート手段に固着され、大腿部を包囲して固定する一対の大腿部固定手段と、
前記身体包囲シート手段に両端部が固定され、前記身体包囲シート手段により包まれた身体の釣支を可能とする釣支ベルト手段を含んで構成されていることを特徴とする救助具。
【請求項２】
前記身体包囲シート手段が、
身体を包み込めるサイズを有する矩形の第１のシート基体と、該第１のシートに固着された第２のシート基体を含んで構成され、
該第２のシート基体が、少なくとも、身体の顔面、頭部、胸部、胴部を包み込めるサイズを有していることを特徴とする請求項１に記載の救助具。
【請求項３】
前記第１のシート基体が、一端部に足部の収容を可能とする袋状のポケット部を備えていることを特徴とする請求項２に記載の救助具。
【請求項４】
前記第１のシート基体の長手方向の両側に、担架を形成する握りポールの挿通を可能とする挿通部が形成されていることを特徴とする請求項３に記載の救助具。
【請求項５】
前記第２のシート基体が、顔面と頭部を包む第１のシート部位と、胴部を包む第２のシート部位を含んで構成されていることを特徴とする請求項４に記載の救助具。
【請求項６】
前記身体固定ベルト手段が、胸部を固定する胸部固定用の第１の横ベルトと、胴部を固定する胴部固定用の第２の横ベルトと、下肢部を固定する第３の横ベルトを備え、前記各横ベルトの端部は前記第２のシート基体に固定されていることを特徴とする請求項５に記載の救助具。
【請求項７】
前記大腿部固定手段が、前記第１のシート基体に固着していることを特徴とする請求項６に記載の救助具。
【請求項８】
前記大腿部固定手段が、身体の各大腿部を巻装する一対の帯布部を含んで構成され、該帯布部は大腿部を包み込んだ状態で係着して大腿部を固定する係着手段を備えていることを特徴とする請求項７に記載の救助具。
【請求項９】
前記釣支ベルト手段が、前記身体包囲シート手段に両端部が固定された複数本のベルトにより構成され、該ベルトを結束して身体の釣支を可能とすることを特徴とする請求項８に記載の救助具。
【請求項１０】
布地により形成され身体を包み込めるサイズを有する身体包囲シート手段と、
該身体包囲シート手段により包囲した身体を固定する身体固定ベルト手段と、
前記身体包囲シート手段に固着され、大腿部を包囲して固定する一対の大腿部固定手段と、
前記身体包囲シート手段に両端部が固定され、前記身体包囲シート手段により包まれた身体の釣支を可能とする釣支ベルト手段を含んで構成されている救助具であって、前記身体包囲シート手段が、
身体を包み込めるサイズを有する矩形の第１のシート基体と、該第１のシートに固着された第２のシート基体を含んで構成され、
前記第１のシート基体が、一端部に足部の収容を可能とする袋状のポケット部を備え、前記第１のシート基体の長手方向の両側に、担架を形成する握りポールの挿通を可能とする挿通部が形成され、
前記第２のシート基体が、少なくとも、身体の顔面、頭部、胸部、胴部を包み込めるサイズを有しており、顔面と頭部を包む第１のシート部位と、胴部を包む第２のシート部位を含んで構成され、
前記身体固定ベルト手段が、胸部を固定する胸部固定用の第１の横ベルトと、胴部を固定する胴部固定用の第２の横ベルトと、下肢部を固定する第３の横ベルトを備え、前記各横ベルトの端部は前記第２のシート基体に固定され、
前記大腿部固定手段が、前記第１のシート基体に固着し、身体の各大腿部を巻装する一対の帯布部を含んで構成され、該帯布部は大腿部を包み込んだ状態で係着して大腿部を固定する係着手段を備えており、
前記釣支ベルト手段が、前記身体包囲シート手段に両端部が固定された複数本のベルトにより構成され、該ベルトを結束して身体の釣支を可能とすることを特徴とする救助具。
【請求項１１】
さらに、前記挿通部に挿通され、前記挿通部より露出する両端が担架のハンドグリップ部を形成する前記握りポールを備えていることを特徴とする請求項１乃至１０いずれか一項に記載の救助具。
【請求項１２】
前記握りポールが、複数本のパイプを連結して形成され、連結の解除が可能に形成されていることを特徴とする請求項１０に記載の救助具。
【発明の詳細な説明】
【技術分野】
【０００１】本発明は、地下空間に繋がるマンホール（人孔）から地下空間にいる被救助者（負傷者）を救出するのに好適な救助具に関するものである。
【背景技術】
【０００２】従来、マンホール等の深い穴などの中で作業を行う作業者が着衣し、作業者の安全及び救出を図る安全ベストが提案されている（特許文献１参照）。
【先行技術文献】
【特許文献】
【０００３】
【特許文献１】特許第５１０２４７２号特許公報
【発明の概要】
【発明が解決しようとする課題】
【０００４】特許文献１に示される安全ベストは、布地によりベスト状に形成されたベスト本体と、ベスト本体の胴回りに水平に固定される横ベルトと、前部より肩部を介して背部に回り込んで横ベルトに固定される左右の縦ベルトと、縦ベルトの両方の肩部分から延設される支持ベルトを備え、ベスト本体の内側で、かつ袖口に隣接して、柔軟で強度のある広がり面を保持する緩衝帯を胴周方向に設けて形成されている【０００５】特許文献１における安全ベストによれば、マンホール内での安全な作業を実施でき、落下事故が起きた場合には衝撃が少なく、またマンホール内で作業者が意識を失い、あるいは重傷を負って動けなくなった場合に、マンホール内より救出が可能であるとしている。しかしながら、この安全ベルトにあっては、少なくとも、次の（１）（２）の問題点があった。
（１）例えば、下水道管渠内などの地下の閉鎖空間で作業を行う際に、大水の発生あるいは有害性ガスの発生などの不意の事故によってマンホール内で作業者が意識を失うか、あるいは重症を負って自力で移動できなくなる場合、作業者（被救助者）自身は身体を制することができない状態にあるため、被救助者の身体、例えば頸部は通例前屈し、また、マンホールの口径は７０ｃｍ程度と狭いため、被救助者が安全ベストを着用していても、狭くかつ深いマンホールより被救助者を迅速に引き上げるのには相当の困難性がともなう。
（２）不意の事故によって地下空間において負傷した作業者を引き上げる場合、安全ベストにより作業者の胴体部が保護状態にあっても、胴体部以外の身体の他の身体部位を保護した状態で被救助者を引き上げることはできない。【０００６】地下空間に繋がるマンホールから被救助者（負傷者）を救出する救助具を提供するに当たっては、被救助者の引上げ方法が悪いと、被救助の容態を悪化させ悪影響を及ぼすことになるので、少なくとも、次の条件を満たすことが求められる。
（１）被救助者の引き上げ姿勢を略垂直な状態に置いて、狭くかつ深いマンホールより被救助を迅速に引き上げ救出できること。
（２）被救助者をマンホールより救出する際に、被救助者の全身を包み被救助者の健康状態が安定した状態で引き上げることができ、被救助者に苦痛を与えることなく安全に救出できること。
（３）被救助者を救助する救助者が地下の閉鎖空間において救助具を持ち運びできる程度に軽量であり、また、未使用状態での大きさが携帯バッグ（ショルダーバッグ）に収容できる程度にコンパクトであること。
（４）地下の閉鎖空間の深い位置（例えば、横坑内の奥）において被救助者が負傷している場合、地下の閉鎖空間の深い位置からマンホール近傍まで救助者が被救助者を担架搬送できる手段を具備していること。【０００７】したがって、本発明は上記事情に鑑みてなされたものであり、本発明の目的は、被救助者の引き上げ姿勢を略垂直な状態に置いて、狭くかつ深いマンホールより迅速に被救助を引き上げ救出できる救助具を提供することにある。【０００８】本発明の他の目的は、被救助者をマンホールより救出する際に、被救助者の全身を包み被救助者の健康状態が安定した状態で引き上げることができ、被救助者に苦痛を与えることなく安全に救出できる救助具を提供することにある。【０００９】本発明のもう一つ他の目的は、被救助者を救助する救助者が地下の閉鎖空間において救助具を持ち運びできる程度に軽量であり、また、未使用状態での大きさが携帯バッグ（ショルダーバッグ）に収容できる程度にコンパクトな救助具を提供することにある。【００１０】本発明のさらにもう一つ他の目的は、地下の閉鎖空間の深い位置において被救助者が負傷している場合、地下の閉鎖空間の深い位置からマンホール近傍まで救助者が被救助者を担架搬送できる手段を具備して救助具を提供することにある。
【課題を解決するための手段】
【００１１】本願の請求項１に係る発明は、地により形成され身体を包み込めるサイズを有する身体包囲シート手段と、
該身体包囲シート手段により包囲した身体を固定する身体固定ベルト手段と、
前記身体包囲シート手段に固着され、大腿部を包囲して固定する一対の大腿部固定手段と、
前記身体包囲シート手段に両端部が固定され、前記身体包囲シート手段により包まれた身体の釣支を可能とする釣支ベルト手段を含んで構成されていることを特徴とする救助具である。【００１２】本願の請求項２に係る発明は、請求項１に記載の救助具において、前記身体包囲シート手段が、身体を包み込めるサイズを有する矩形の第１のシート基体と、該第１のシートに固着された第２のシート基体を含んで構成され、該第２のシート基体が、少なくとも、身体の顔面、頭部、胸部、胴部を包み込めるサイズを有していることを特徴としている。【００１３】本願の請求項３に係る発明は、請求項２に記載の救助具において、前記第１のシート基体が、一端部に足部の収容を可能とする袋状のポケット部を備えていることを特徴としている。【００１４】本願の請求項４に係る発明は、請求項３に記載の救助具において、前記第１のシート基体の長手方向の両側に、担架を形成する握りポールの挿通を可能とする挿通部が形成されていることを特徴としている。【００１５】本願の請求項５に係る発明は、請求項４に記載の救助具において、前記第２のシート基体が、顔面と頭部を包む第１のシート部位と、胴部を包む第２のシート部位を含んで構成されていることを特徴としている。【００１６】本願の請求項６に係る発明は、請求項５に記載の救助具において、前記身体固定ベルト手段が、胸部を固定する胸部固定用の第１の横ベルトと、胴部を固定する胴部固定用の第２の横ベルトと、下肢部を固定する第３の横ベルトを備え、前記各横ベルトの端部は前記第２のシート基体に固定されていることを特徴としている。【００１７】本願の請求項７に係る発明は、請求項６に記載の救助具において、前記大腿部固定手段、前記第１のシート基体に固着していることを特徴としている。【００１８】本願の請求項８に係る発明は、請求項７に記載の救助具において、前記大腿部固定手段が、身体の各大腿部を巻装する一対の帯布部を含んで構成され、該帯布部は大腿部を包み込んだ状態で係着して大腿部を固定する係着手段を備えていることを特徴としている。【００１９】本願の請求項９に係る発明は、請求項８に記載の救助具において、前記釣支ベルト手段が、前記身体包囲シート手段に両端部が固定された複数本のベルトにより構成され、該ベルトを結束して身体の釣支を可能とすることを特徴としている。【００２０】本願の請求項１０に係る発明は、布地により形成され身体を包み込めるサイズを有する身体包囲シート手段と、
該身体包囲シート手段により包囲した身体を固定する身体固定ベルト手段と、
前記身体包囲シート手段に固着され、大腿部を包囲して固定する一対の大腿部固定手段と、
前記身体包囲シート手段に両端部が固定され、前記身体包囲シート手段により包まれた身体の釣支を可能とする釣支ベルト手段を含んで構成されている救助具であって、
前記身体包囲シート手段が、
身体を包み込めるサイズを有する矩形の第１のシート基体と、該第１のシートに固着された第２のシート基体を含んで構成され、
前記第１のシート基体が、一端部に足部の収容を可能とする袋状のポケット部を備え、前記第１のシート基体の長手方向の両側に、担架を形成する握りポールの挿通を可能とする挿通部が形成され、
前記第２のシート基体が、少なくとも、身体の顔面、頭部、胸部、胴部を包み込めるサイズを有しており、顔面と頭部を包む第１のシート部位と、胴部を包む第２のシート部位を含んで構成され、
前記身体固定ベルト手段が、胸部を固定する胸部固定用の第１の横ベルトと、胴部を固定する胴部固定用の第２の横ベルトと、下肢部を固定する第３の横ベルトを備え、前記各横ベルトの端部は前記第２のシート基体に固定され、
前記大腿部固定手段が、前記第１のシート基体に固着し、身体の各大腿部を巻装する一対の帯布部を含んで構成され、該帯布部は大腿部を包み込んだ状態で係着して大腿部を固定する係着手段を備えており、
前記釣支ベルト手段が、前記身体包囲シート手段に両端部が固定された複数本のベルトにより構成され、該ベルトを結束して身体の釣支を可能とすることを特徴とする救助具である。【００２１】本願の請求項１１に係る発明は、請求項１乃至１０に記載の救助具において、さらに、前記挿通部に挿通され、前記挿通部より露出する両端が担架のハンドグリップ部を形成する前記握りポールを備えていることを特徴としている。【００２２】本願の請求項１２に係る発明は、請求項１１に記載の救助具において、前記握りポールが、複数本のパイプを連結して形成され、連結の解除が可能に形成されていることを特徴としている。
【発明の効果】
【００２３】本発明は以上のごとく構成され、次に記載される効果を奏する。
（１）被救助者の引き上げ姿勢を略垂直な状態に置いて、狭くかつ深いマンホールより迅速に被救助を引き上げ救出できる救助具が得られる。
（２）被救助者をマンホールより救出する際に、被救助者の全身を包み被救助者の健康状態が安定した状態で引き上げることができ、被救助者に苦痛を与えることなく安全に救出できる救助具が得られる。。
（３）被救助者を救助する救助者が地下の閉鎖空間において持ち運びできる程度に軽量であり、また、未使用状態での大きさが携帯バッグ（ショルダーバッグ）に収容できる程度にコンパクトである救助具が得られる。
（４）地下の閉鎖空間の深い位置において被救助者が負傷している場合、地下の閉鎖空間の深い位置からマンホール近傍まで救助者が被救助者を担架搬送できる手段を具備している救助具が得られる。
【図面の簡単な説明】
【００２４】
【図１】本発明の実施の形態に係る救助具の構成を示し、救助具を展開して示す斜視略図である。
【図２】図１に示す救助具の主要な構成を示し、救助具を展開して示す斜視略図である。
【図３】図１に示す救助具を構成する身体包囲シート手段、身体固定ベルト手段および大腿部固定手段の要部を示す斜視略図である。
【図４】図１に示す救助具を構成する身体包囲シート手段、身体固定ベルト手段および大腿部固定手段の構成メンバを分離して示す斜視略図である。
【図５】図１に示す救助具に被救助者を仰向けに寝かせ、足部を第１のシート基体に形成されたポケット部に収容し、被救助者の大腿部の一方に大腿部固定手段を巻装している状態を示す斜視図である。
【図６】図１示す救助具の使用状態を示し、被救助者を仰向けに寝かせた状態を示す斜視図である。
【図７】図６に示す状態から被救助者を身体包囲シート手段と身体固定ベルト手段と大腿部固定手段を用いて胸部、胴部、大腿部を固定した状態を示す斜視図である。
【図８】図７の状態から２本の釣支ベルトを結束させた状態を示す斜視図である。
【図９】図８の状態から身体包囲シート手段により頭部、顔面を包んだ状態を示す斜視図である。
【図１０】図９の状態から頭部、顔面を補助ベルトを用いて包み込む状態を示す斜視図である。
【図１１】図１０の状態から被救助者を身体包囲シート手段により包み込み固縛ひもで固縛した状態を示す斜視図である。
【図１２】図１１の状態から被救助者を垂直に釣り上げている状態を示す斜視図である。
【図１３】図１に示す救助具が担架として転用できることを示す斜視図である。
【図１４】図１に示す救助具を用いて坑内において実際に被救助者を救助している状態を示す略図である。
【図１５】図１に示す救助具を折り畳み、握りポールの連結を解除し３本のパイプに分離して、全ての部材を携帯バッグ（ショルダーバッグ）に収容し持ち運ぶ様子を示す斜視図である。
【発明を実施するための形態】
【００２５】本発明に係る救助具は、布地により形成され身体を包み込めるサイズを有する身体包囲シート手段と、該身体包囲シート手段により包囲した身体を固定する身体固定ベルト手段と、前記身体包囲シート手段に固着され、大腿部を包囲して固定する一対の大腿部固定手段と、前記身体包囲シート手段に両端部が固定され、前記身体包囲シート手段により包まれた身体の釣支を可能とする釣支ベルト手段を含んで構成されている。
【００２６】前記身体固定ベルト手段は、胸部を固定する胸部固定用の第１の横ベルトと、胴部を固定する胴部固定用の第２の横ベルトと、下肢部を固定する第３の横ベルトを備え、前記各横ベルトの端部は前記第２のシート基体に固定して形成することができる。
【００２７】前記第１の横ベルトは、嵌脱自在なバックルを備え、該バックルを嵌装して第１の横ベルトを形成することができる。
【００２８】前記第２の横ベルトと前記第３の横ベルトは、係着面と係着受面を備え、前記係着面と前記係着受面は面ファスナーにより着脱自在に形成され、前記係着面と前記係着面を係着させて前記第２の横ベルトおよび前記第３の横ベルトを形成することができる。
【００２９】前記大腿部固定手段は、身体の各大腿部を巻装する一対の帯布部を含んで構成され、該帯布部は大腿部を包み込んだ状態で係着して大腿部を固定する係着手段を備えていることが好ましい
【００３０】前記係着手段は、係着面と係着受面を備え、前記係着面と前記係着受面は面ファスナーにより着脱自在に形成され、前記係着面と前記係着面を係着させて前記大腿部固定手段を形成することが好ましい。
【実施例】
【００３１】以下、本発明の実施例を、添付図面とともに説明する。【００３２】図１〜図４において、救助具１は、布地により形成され身体を包み込めるサイズを有する身体包囲シート手段２と、該身体包囲シート手段により包囲した身体を固定する身体固定ベルト手段３と、前記身体包囲シート手段に固着され、大腿部を包囲して固定する一対の大腿部固定手段６と、前記身体包囲シート手段に両端部が固定され、前記身体包囲シート手段により包まれた身体の釣支を可能とする釣支ベルト手段８を含んで構成されている。【００３３】前記身体包囲シート手段２は、身体を包み込めるサイズを有する矩形の第１のシート基体２０と、該第１のシートに固着された第２のシート基体３０を含んで構成されている。【００３４】前記第１のシート基体２０は、一端部に足部の収容を可能とする袋状のポケット部２２を備え、前記第１のシート基体２０の長手方向の両側に、担架を形成する握りポール９の挿通を可能とする挿通部２４が形成されている。【００３５】符号２６，２７は、前記第１のシート基体２０に端部が固定されたショルダーベルトであり、担架として用いる場合に使用する。該ショルダーベト２６，２７は、嵌脱自在なバックル２６Ａ，２６Ｂ、２７Ａ，２７Ｂを備え、該バックル２６Ａと２６Ｂ、２７Ａと２７Ｂを嵌装してショルダーベルト２６，２７を形成し、救助時に救助者の肩、首に掛けわたして使用する。符号２８（２８Ａ，２８Ｂ，２８Ｃ，２８Ｄ），２９（２９Ａ，２９Ｂ，２９Ｃ，２９Ｄ）は固縛ひもである。【００３６】前記第２のシート基体３０は、伸張性・保温性・クッション性のあるシート部材により形成され、少なくとも、身体の顔面、頭部、胸部、胴部を包み込めるサイズを有しており、顔面と頭部を包む第１のシート部位３１と、胴部を包む第２のシート部位３２を含んで構成されている。【００３７】前記身体固定ベルト手段３（３Ａ，３Ｂ）は、胸部を固定する胸部固定用の第１の横ベルト３５と、胴部を固定する胴部固定用の第２の横ベルト３６、３７、３８、と、下肢部を固定する第３の横ベルト３９を備え、前記各横ベルトの端部は前記第２のシート基体に固定されている。【００３８】前記第１の横ベルト３５は、嵌脱自在なバックル３５Ａ，３５Ｂを備え、該バックル３５Ａ，３５Ｂを嵌装して第１の横ベルトを形成する。【００３９】前記第２の横ベルト３６，３７，３８と前記第３の横ベルト３９は、係着面（３６Ａ，３７Ａ，３８Ａ，３９Ａ）と係着受面（３６Ｂ，３７Ｂ，３８Ｂ，３９Ｂ）を備え、前記係着面と前記係着受面は面ファスナーにより着脱自在に形成され、前記係着面と前記係着面を係着させて前記第２の横ベルト３６、３７、３８および前記第３の横ベルト３９を形成する。【００４０】前記大腿部固定手段６（６Ａ，６Ｂ）は、前記第１のシート基体２０に固着し、身体の各大腿部を巻装する一対の帯布部６１．６２を含んで構成され、該帯布部は伸張性・保温性・クッション性のあるシート部材により形成され、大腿部を包み込んだ状態で係着して大腿部を固定する係着手段６４，６６を備えている。【００４１】前記係着手段６４、６６は、係着面（６４Ａ，６６Ａ）と係着受面（６６Ｂ，６６Ｂ）を備え、前記係着面と前記係着受面は面ファスナーにより着脱自在に形成され、前記係着面と前記係着面を係着させて前記大腿部固定手段６（６Ａ，６Ｂ）を形成する。【００４２】前記釣支ベルト手段８は、前記身体包囲シート手段２に両端部が固定された複数本のベルトにより構成され、該ベルトを結束して身体の釣支を可能とする。【００４３】さらに、前記挿通部２４に挿通され、前記挿通部より露出する両端が担架のハンドグリップ部９１を形成する前記握りポール９を備えている。【００４４】前記握りポール９は、図１、図２に示すように同長の３本の中空パイプ９３，９４，９５を連結して形成される。左右の前記パイプ９３．９５の一端部には貫通孔が形成されている。また、中央の前記パイプ９４は、前記パイプ９３，９５よりやや小径に形成され、前記パイプ９４の両端の内部には、コイルばね９６と該コイルばね９６により付勢されたパイプ連結用の連結子９７が配設されている。該連結子の先端は前記パイプ９４の貫通孔より突出するように組み込まれている。前記連結子９７を前記コイルばね９６に抗しながら前記パイプ９４の内方に押し込み、その状態で前記パイプ９４の端部を左右の前記パイプ９３，９５に嵌挿し、前記パイプ９３，９５の貫通孔より前記連結子９７の先端が露出するように前記連結子９７を係入して３本の前記パイプ９３，９４，９５を連結し前記握りポール９を形成する。また、連結を解除する場合には、前記連結子９７を前記コイルばね９６に抗しながら前記パイプ９４側に押し込み、前記連結子９７の先端と前記パイプ９３，９５の貫通孔との係入を解き、その状態で前記握りポール９３、４を引き抜けば前記握りポールの連結の解除が可能である。【００４５】符号４１，４２は補助ベルトである。この補助ベルト４１，４２を用いて頭部、顔面を前記身体包囲シート手段２により包み込む。前記補助ベルトは、係着面（４１Ａ，４２Ａ）と係着受面（４１Ｂ，４２Ｂ）を備え、前記係着面と前記係着受面は面ファスナーにより着脱自在に形成され、前記係着面と前記係着面を係着させて前記補助ベルトを形成する。【００４６】（被救助者を引き上げる救助具として使用する場合）
被救助者を引き上げる救助具として使用する場合について、図５乃至図１２、図１４を用いて説明する。
（１）救助具１の前記身体包囲シート手段２に被救助者を仰向けに寝かせ、被救助者の足部を前記第１のシート基体２０に形成された前記ポケット部２２に収容し、大腿部固定手段６により被救助者の大腿部を巻装し固定する（図５、図６参照）。
（２）前記第２のシート部位３２を用いて被救助者を包み（巻装し）、前記身体固定ベルト手段３によって胸部、胴部、大腿部を固定し、２本の前記釣支ベルト８Ａ，８Ｂを結束させる（図７、図８参照）。
（３）前記身体包囲シート手段２の第１のシート部位３１により頭部、顔面を包む（図９参照）。
（４）頭部、顔面を前記補助ベルト４１，４２を用いて前記身体包囲シート手段２により包み込む（図１０）
（５）固縛ひも２８，２９を用いて前記身体包囲シート手段２を固縛する（図１１参照）。
（６）前記釣支手段８にフックを掛け止めし、フックの上部にロープをかけて釣上げ手段により被救助者を垂直に釣り上げマンホール２００から引き上げる（図１２、図１４参照）。【００４７】（被救助者を搬送する担架として救助具を使用する場合）
被救助者を搬送する担架として救助具１を使用する場合について、図１３、図１４を用いて説明する。
（１）３本のパイプを連結して前記握りポール９を形成し、前記挿通部２４Ａ、２４Ｂに前記握りポールを挿通し、前記握りポールの両端を前記挿通部より露出させ担架のハンドグリップ部９１を確保する。
（２）救助具１の前記身体包囲シート手段２に被救助者を仰向けに寝かせる。
（３）ショルダーベルト２６，２７は、バックル（２６Ａ，２６Ｂ、２７Ａ，２７Ｂ）を備え、該バックル２６Ａと２６Ｂ、２７Ａと２７Ｂ）を嵌装して形成されたショルダーベルト２６，２７を救助者の肩、首に掛けわたす。
（４）救助者２名が前記握りポール９のハンドグリップ９１を持って救助具を前後から持ち上げ、被救助者を好適な位置まで搬送する。【００４８】（携帯バッグに収容し持ち運ぶ場合）
救助具を折り畳み、さらに、握りポールの連結を解除し３本のパイプに分離して、全ての部材を携帯バッグ（ショルダーバッグ）に収容し持ち運ぶ（図１５）。
【符号の説明】
【００４９】１      救助具
２      身体包囲シート手段
３      身体固定ベルト手段
６      大腿部固定手段
８      釣支手段
９      握りポール
２０    第１のシート基体
２２    ポケット部
２４    挿通部
２６    ショルダーベルト
２７    ショルダーベルト
２８    固縛ひも
２９    固縛ひも
３０    第２のシート基体
３１    第１のシート部位
３２    第２のシート部位
３５    第１の横ベルト
３５Ａ  バックル
３５Ｂ  バックル（係合受部）
３６    第２の横ベルト
３６Ａ  係着面
３６Ｂ  係着受面
３７    第２の横ベルト
３７Ａ  係着面
３７Ｂ  係着受面
３８    第２の横ベルト
３８Ａ  係着面
３８Ｂ  係着受面
３９    第３の横ベルト
３９Ａ  係着面
３９Ｂ  係着受面
４１    補助ベルト
４１Ａ  係着面
４１Ｂ  係着受面
４２    補助ベルト
４２Ａ  係着面
４２Ｂ  係着受面
６１    帯布部
６２    帯布部
６４    係着手段
６４Ａ  係着面
６４Ｂ  係着受面
６６    係着手段
６６Ａ  係着面
６６Ｂ  係着受面
９１    ハンドグリップ部
１００  携帯バッグ
２００  マンホール
【図１】
2019118773.tif 000003
【図２】
2019118773.tif 000004
【図３】
2019118773.tif 000005
【図４】
2019118773.tif 000006
【図５】
2019118773.tif 000007
【図６】
2019118773.tif 000008
【図７】
2019118773.tif 000009
【図８】
2019118773.tif 000010
【図９】
2019118773.tif 000011
【図１０】
2019118773.tif 000012
【図１１】
2019118773.tif 000013
【図１２】
2019118773.tif 000014
【図１３】
2019118773.tif 000015
【図１４】
2019118773.tif 000016
【図１５】
2019118773.tif 000017